(57)【要約】【課題】  人体に安全で、かつ簡便に頭皮や歯茎の血流量を増加させ得る皮下血流改善補助具を安価に提供すること。【解決手段】  石英斑岩またはトルマリンの粉末が、帽子（１０）、スカーフ、鉢巻などの繊維服飾製品における少なくとも皮膚との接触面側に、接着剤を介して付与されてなる皮下血流改善補助具。【選択図】    図１
0003116573.tif 000002
【実用新案登録請求の範囲】
【請求項１】
石英斑岩またはトルマリンの粉末が、少なくとも皮膚との接触面側に付与されてなることを特徴とする皮下血流改善補助具。
【請求項２】
石英斑岩またはトルマリンの粉末が、帽子、スカーフ、鉢巻などの繊維服飾製品における少なくとも皮膚との接触面側に、接着剤を介して付与されてなることを特徴とする皮下血流改善補助具。
【請求項３】
石英斑岩またはトルマリンの粉末を塩化ビニル樹脂などの合成樹脂と混練し、該混練物をマウスピースに成型してなることを特徴とする皮下血流改善補助具。
【考案の詳細な説明】
【技術分野】
【０００１】  本考案は皮下血流改善補助具（以下、単に「補助具」とも言う）に関し、詳しくは、石英斑岩またはトルマリンからなる鉱物が付与され、皮下血流量の増加をもたらす補助具に関する。
【背景技術】
【０００２】  現代人の抜け毛・薄毛は、ストレスや食生活、生活リズムの乱れによる体内環境の悪化が原因とされている。悪い体内環境において、濁った血や滞った血流では毛髪の成長は促進されない。皮下の（頭皮の）末梢血液循環を改善し血流量を増加させるは、栄養の補給、老廃物の除去がスムーズにするので、抜け毛・薄毛には有効である。また、歯槽膿漏に関しても同様で、皮下の（歯茎の）末梢血液循環を改善し血流量を増加させることによって改善されると考えられる。【０００３】  そして従来より、例えば脱毛予防としては、頭皮の血流量を増加させるべく、電気的な刺激を与える装置やマッサージ機器が提案された（特許文献１）。また歯槽膿漏に対しては、歯肉をマッサージするブラシ状の器具が提案された（特許文献２）
【特許文献１】実開平６−２１６３６公報
【特許文献２】特開２００３−３４５号公報
【考案の開示】
【考案が解決しようとする課題】
【０００４】  これにより、頭皮や歯肉（歯茎）の血流量が増し、ある程度の育毛効果や歯槽膿漏防止効果は期待できるが、頭皮マッサージ用の機器に関しては構造が非常に複雑であり、そのためにコスト高を招いた。【０００５】  また、歯肉マッサージ用のブラシにあっては、歯を磨くための時間とは別に歯肉（歯茎）マッサージに割く時間が必要であり、忙しい現代人には不向きで、さらなる開発が望まれた。【０００６】［考案の目的］
本考案は上記の実情に鑑みてなされたものであり、その目的は、人体に安全で、かつ簡便に頭皮や歯茎の血流量を増加させ得る皮下血流改善補助具を安価に提供するところにある。
【課題を解決するための手段】
【０００７】  請求項１に記載の補助具は、石英斑岩またはトルマリンの粉末が、少なくとも皮膚との接触面側に付与されてなることを特徴とする。【０００８】  請求項２に記載の補助具は、石英斑岩またはトルマリンの粉末が、帽子、スカーフ、鉢巻などの繊維服飾製品における少なくとも皮膚との接触面側に、接着剤を介して付与されてなることを特徴とする。【０００９】  請求項３に記載の補助具は、石英斑岩またはトルマリンの粉末を塩化ビニル樹脂などの合成樹脂と混練し、該混練物をマウスピースに成型してなることを特徴とする。
【考案の効果】
【００１０】  本考案の皮下血流改善補助具は、石英斑岩および／またはトルマリンからなる鉱物が付与されているので、末梢血液循環が改善され、皮下血流量が増加する。【００１１】  これを帽子に用いた場合には（請求項２）、頭皮の血流量が増加し、悪い体内環境が改善され、濁った血や滞った血流がスムーズに流れるようになる。これにより、抜け毛や薄毛の防止、発毛促進効果が期待できる。【００１２】  また、マウスピースに用いた場合も同様（請求項３）、歯茎の血流量が増加し、悪い体内環境が改善され、濁った血や滞った血流がスムーズに流れるようになり、歯槽膿漏の改善効果、防止効果が期待できる。これは、本考案のマウスピースを、例えばＴＶを見ている間や寝ている間に口腔内に入れておくだけでよい。
【考案を実施するための最良の形態】鉱物
本考案で使用される石英斑岩、トルマリンはいずれも豊富な資源である。また、人体に無害であり、皮膚接触で人体に成分が浸透したり、皮膚炎を起こすようなものではない。【００１３】石英斑岩
本考案で使用される石英斑岩（Ｑｕａｒｔｚ  Ｐｏｒｐｈｙｒｙ）は酸性の中粒火成岩で、珪長質、斑状組織の火成岩である。一般的な構成鉱物は、石英、斜長石、アルカリ長石、普通角閃石、黒雲母からなり、これらの鉱物の斑晶と微晶質石基からなり、市販されているものを使用することができる。【００１４】トルマリン
本考案で使用されるトルマリンは電気石とも呼ばれ、硬度７〜７．５、比重３〜３．３の六方晶系の天然鉱石である。原産地はブラジル、中国、ウラル山脈、スリランカ、カリフォルニア、マダガスカルなどの鉱脈であり、市販されているものを使用することができる。【００１５】接着剤
上記した石英斑岩、トルマリンなどの粉末を、帽子やスカーフまたは鉢巻などの繊維服飾製品の内側面に接着剤を介して付与する場合、その使用される接着剤としては特に限定はなく、例えば、ニカワや、アクリル系樹脂、ポリ塩化ビニルなどの合成樹脂製の接着剤が挙げられる。【００１６】繊維基材
また、前記帽子などの繊維服飾製品に対し、上記した石英斑岩、トルマリンなどの粉末を付与する場合、該粉末を繊維基材に塗布あるいは含浸させ、のち該繊維基材を用いて帽子、スカーフ、鉢巻などの繊維服飾製品を製造する。【００１７】  本考案で使用される繊維基材としては特に限定はなく、天然繊維、合成繊維からなる布帛（織物、編物、不織布（紙、和紙を含む））であることが好ましい。【００１８】  天然繊維としては、例えば綿繊維、麻繊維、しゅろ繊維などの植物繊維、絹繊維、羊毛、カシミア毛、ラクダ毛などの動物繊維が挙げられる。【００１９】  また、合成繊維としては、例えば人絹糸、ビスコース、ベンベルグ等の再生繊維、又はポリアミド系繊維（ナイロンなど）、ポリエステル系繊維、ポリアクリル系繊維、ポリビニール・アルコール系繊維、ポリウレタン系繊維、ポリ塩化ビニリデン系繊維、ポリ塩化ビニル系繊維、ポリアクリロニトリル系繊維、ポリエチレン系繊維、ポリプロピレン系繊維、レーヨンなどの合成繊維が挙げられる。【００２０】  上記構成の繊維基材に対し、石英斑岩、トルマリンなどの粉末を、接着剤を用いて塗布してもよいし、その他、当該粉末を塗布した別の布帛を取り付ける方法を採っても構わない。【００２１】口腔用基材（マウスピース原料）
上記した石英斑岩、トルマリンなどの粉末を、マウスピース原料と混練し、該混練物をマウスピースに成型する場合、該マウスピース原料としては特に限定はなく、例えばシリコーン、ポリ塩化ビニル、ポリエーテル−シリコーン、ポリエチレン、ポリプロピレン、ポリ（メソ）アクリレート、ポリウレタン、ポリカーボネート、ポリスルフィドまたはゴムのような従来公知の合成材料が挙げられ、さらには、例えば、ポリビニルピロリドンまたはポリビニルアルコールをベースとしたヒドロゲルや、歯科石膏プレパレーション、プラスチシンのような非硬化可能で、混練可能な材料を使用することもできる。
【実施例】
【００２２】  以下、本考案の一実施形態を図面に基づいて説明するが、本考案はこれによって限定されるものではない。【００２３】  図１（ａ）は本考案に係る補助具の一例であり、本実施例において帽子（１０）を示す。この帽子（１０）は、内面が皮膚（頭皮）に当接するようにしてかぶる。【００２４】  この帽子（１０）は、例えば次のようにして製造されたものである。すなわち、石英斑岩またはトルマリンの粉末（粒径：約０．１μｍ〜３μｍ）をニカワに混ぜ、これを綿繊維からなる生地に塗布した。この生地を裁断し、帽子（１０）に仕立てた。【００２５】  あるいは、既存の帽子の内面側（頭皮側）に、上記鉱物の粉末を練り混ぜたニカワを塗布して製造してもよい。【００２６】  図１（ｂ）は本考案に係る補助具の他の一例であり、本実施例においてマウスピース（１２）を示す。【００２７】  このマウスピース（１２）は、例えば次のようにして製造されたものである。すなわち、石英斑岩またはトルマリンの粉末（粒径：約０．１μｍ〜３μＭ）を塩化ビニル樹脂に混ぜ、のち混練物をマウスピース（１２）の形に成型した。【００２８】実験例（石英斑岩）
本考案の帽子（１０）（付与した鉱物は、主として石英斑岩）を使って、実際に血流量の経時的な変化を測定した。測定は７名のボランティアモニター（Ａ〜Ｇ）で行い、レーザー血流計（ＮＥＣ社製）を用いて５分間の平均値（毎分あたりのミリリットル）をとった。結果を下記表１に示す。【００２９】
【表１】
0003116573.tif 000003
【００３０】  このように、本考案の帽子を装着することにより頭皮の血流量が増加するので、血行障害による脱毛の防止効果が期待できる。【００３１】  本考案のマウスピース（１２）（付与した鉱物は、主として石英斑岩）を使って、実際に血流量の経時的な変化を測定した。測定は、マウスピース（１２）を下の歯茎の前部内側に装着し、センサーをその外側に固定して、レーザー血流計（ＮＥＣ社製）を用いて行い、電算処理した。また、マウスピース（１２）を下の歯茎の奥部の内側に装着し、センサーをその外側に固定して、レーザー血流計（ＮＥＣ社製）を用いて行い、電算処理した（毎分あたりのミリリットルをとった）。結果を下記表２に示す。【００３２】
【表２】
0003116573.tif 000004
【００３３】  このように、本考案のマウスピースを装着することにより歯茎の血流量が増加するので、歯槽膿漏の防止や進行の抑制効果が期待できる。【００３４】実験例（トルマリン）
本考案の帽子（１０）（付与した鉱物は、主としてトルマリン）を使って、実際に血流量の経時的な変化を測定した。測定は７名のボランティアモニター（Ａ〜Ｇ）で行い、レーザー血流計（ＮＥＣ社製）を用いて５分間の平均値（毎分あたりのミリリットル）をとった。結果を下記表３に示す。【００３５】
【表３】
0003116573.tif 000005
【図面の簡単な説明】
【００３６】
【図１】（ａ）は本考案の補助具の一実施例を示した帽子の斜視図であり、（ｂ）は、他の実施例を示したマウスピースの斜視図である。
【符号の説明】
【００３７】  １０……帽子
１２……マウスピース
【図１】
0003116573.tif 000006
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
石英斑岩またはトルマリンの粉末が、帽子、スカーフ、鉢巻などの繊維服飾品におけるすくなくとも皮膚との接触面側に、接着材を介して付与されてなることを特徴とする皮下血流改善補助具。
【請求項２】
石英斑岩またはトルマリンの粉末を塩化ビニールなどの合成樹脂と混練し、該混練物をマウスピースに成形してなることを特徴とする皮下血流改善補助具。